【手続補正書】
【提出日】平成29年9月12日(2017.9.12)
【手続補正１】
【補正対象書類名】明細書
【補正対象項目名】００１５
【補正方法】変更
【補正の内容】
【００１５】
図２は、図１のディストーション装置１００のハードウェア構成例を示す図である。ディストーション装置１００は、ＣＰＵ２０１、ＲＯＭ２０２、ＲＡＭ２０３、ＤＳＰ２０４、アンプ２０５、Ａ／Ｄ（アナログ／デジタル）コンバータ２０６、ワークメモリ２０７、Ｄ／Ａ（デジタル／アナログ）コンバータ２０８、アンプ２０９を備える。さらに、ディストーション装置１００は、ＬＥＤ（Ｌｉｇｈｔ  Ｅｍｉｔｔｉｎｇ  Ｄｉｏｄｅ）２１４とそれを制御するパラレル・ポート２１５、ペダルスイッチ２１０とそれを制御するフリップ・フロップデジタル回路２１１、およびコントロールノブ２１２とそれを制御するＡ／Ｄコンバータ２１３を備える。ＣＰＵ２０１、ＲＯＭ２０２、ＲＡＭ２０３、パラレル・ポート２１５、フリップ・フロップデジタル回路２１１、およびＡ／Ｄコンバータ２１３は、システムバス２１４によって相互に接続される。ＬＥＤ２１４は、図１のエフェクト・バイパスのインジケータ１０３に対応する。コントロールノブ２１２は、図１の１０４、１０５、１０６のコントロールノブ群に対応する。ペダルスイッチ２１０は、図１のペダルスイッチ１０７に対応する。
【手続補正２】
【補正対象書類名】明細書
【補正対象項目名】００１９
【補正方法】変更
【補正の内容】
【００１９】
コントロールノブ２１２の操作位置のＡ／Ｄコンバータ２１３を介した読込みや、パラレル・ポート２１５を介したＬＥＤ２１４への表示などのユーザインターフェイスは、ＣＰＵ２０１によって処理される。ディストーション効果（以下「エフェクト」と記載）のオン／オフ（エフェクト／バイパス）の切替えは、ペダルスイッチ２１０の操作に基づいてフリップ・フロップデジタル回路２１１でのトグル反転結果をＣＰＵ２０１が読み込んでＤＳＰ２０４に指示を与えることで行なわれる。ＣＰＵ２０１は、後述する各種パラメータをＤＳＰ２０４に与える。
【手続補正３】
【補正対象書類名】明細書
【補正対象項目名】００３３
【補正方法】変更
【補正の内容】
【００３３】
また、ＣＰＵ２０１は、エフェクト／バイパス信号３０５として値「１」を設定すると、パラレル・ポート２１５を介してＬＥＤ２１４を、エフェクト有効を示す点灯状態にし、逆に、エフェクト／バイパス信号３０５として値「０」を設定すると、ＬＥＤ２１４を、エフェクト無効を示す消灯状態にする。
【手続補正４】
【補正対象書類名】明細書
【補正対象項目名】００３６
【補正方法】変更
【補正の内容】
【００３６】
次に、ディストーション効果の深さに応じた増幅が実施される。本実施形態は、この増幅動作の制御にある。増幅率を決定するための乗算器は、ドライブ用乗算器３１６とクリッパゲイン用乗算器３１７の２段構成になっており、前者でドライブ設定、後者でクリッパゲインの調整が行われる。ここで、ユーザがドライブコントロールノブ１０４（図１参照）に対応するコントロールノブ２１２（図２参照）を操作することにより、Ａ／Ｄコンバータ２１３を介してその操作量がＣＰＵ２０１に通知される。ＣＰＵ２０１は、この操作量情報に基づいて、ドライブ信号３０９の値を決定する。クリッパゲイン信号３０７の制御については後述するが、ＣＰＵ２０１からインタフェース１１０１のクリッパゲインレジスタＣＧＡＩＮに設定されたクリッパゲイン信号３０７は、そのゲイン制御を平滑化するために、クリッパゲイン平滑用ＬＰＦ３２３に入力し、その出力がクリッパゲイン用乗算器３１７に入力する。以上の増幅制御は、後述する。
【手続補正５】
【補正対象書類名】明細書
【補正対象項目名】００７７
【補正方法】変更
【補正の内容】
【００７７】
以上の実施形態に関して、更に以下の付記を開示する。
（付記１）
入力信号のレベルが予め定められたクリップレベル以上になったときに、当該入力信号をクリッピングして出力するクリッパ部と、
前記クリッパ部からの出力信号と前記入力信号とを混合して出力する混合部と、
前記入力信号のエンベロープレベル値を検知するエンベロープレベル検知部と、
前記エンベロープレベル検知部により検知された前記エンベロープレベルが前記クリップレベルを含む予め定められた領域内にある場合は、前記クリッパ部からの出力信号のレベルを減少させるとともに、前記混合部に供給される前記入力信号のレベルを増加させるように制御する制御部と
を備えたディストーション装置。
（付記２）
前記制御部は、前記クリッパ部からの出力信号のレベルを漸次減少させるとともに、前記混合部に供給される前記入力信号のレベルを漸次増加させるように制御する、付記１に記載のディストーション装置。
（付記３）
前記制御部は、前記クリッパ部に供給される前記入力信号のレベルを漸次減少させることにより、前記クリッパ部からの出力信号のレベルを漸次減少させる、付記１または２に記載のディストーション装置。
（付記４）
入力信号のレベルが予め定められたクリップレベル以上になったときに、当該入力信号をクリッピングして出力するクリッパ部と、前記クリッパ部からの出力信号と前記入力信号とを混合して出力する混合部と、前記入力信号のエンベロープレベル値を検知するエンベロープレベル検知部と、前記クリッパ部と前記混合部に供給される入力信号のレベルを調整するレベル調整部と、を有するディストーション装置に用いられるディストーション制御方法であって、前記ディストーション装置が、
前記エンベロープレベル検知部により検知された前記エンベロープレベルが前記クリップレベルを含む予め定められた領域内にある場合は、前記クリッパ部に供給される前記入力信号のレベルを減少させるとともに、前記混合部に供給される前記入力信号のレベルを増加させるように前記レベル調整部を制御する、ディストーション制御方法。
（付記５）
入力信号のレベルが予め定められたクリップレベル以上になったときに、当該入力信号をクリッピングして出力するクリッパ部と、前記クリッパ部からの出力信号と前記入力信号とを混合して出力する混合部と、前記入力信号のエンベロープレベル値を検知するエンベロープレベル検知部と、前記クリッパ部と前記混合部に供給される入力信号のレベルを調整するレベル調整部と、を備えたディストーション装置として用いられるコンピュータに、
前記エンベロープレベル検知部により検知された前記エンベロープレベルが前記クリップレベルを含む予め定められた領域内にある場合は、前記クリッパ部に供給される前記入力信号のレベルを減少させるとともに、前記混合部に供給される前記入力信号のレベルを増加させるように前記レベル調整部を制御するステップを実行させるプログラム。
【手続補正６】
【補正対象書類名】明細書
【補正対象項目名】００７８
【補正方法】変更
【補正の内容】
【００７８】
１００  ディストーション装置
１０１、２１５、３１２  入力端子
１０２、２１６、３１４  出力端子
１０３  エフェクト・バイパスのインジケータ（Ｅｆｆｅｃｔ／Ｂｙｐａｓｓ  Ｉｎｄｉｃａｔｏｒ）
１０４  ドライブコントロールノブ（Ｄｒｉｖｅ  Ｃｏｎｔｒｏｌ）
１０５  トーンコントロールノブ（Ｔｏｎｅ  Ｃｏｎｔｒｏｌ）
１０６  レベルコントロールノブ（Ｌｅｖｅｌ  Ｃｏｎｔｒｏｌ）
１０７、２１０  ペダルスイッチ
２０１  ＣＰＵ
２０２  ＲＯＭ
２０３  ＲＡＭ
２０４  ＤＳＰ
２０５、２０９  アンプ
２０６、２１３  Ａ／Ｄコンバータ
２０７  ワークメモリ
２０８  Ｄ／Ａコンバータ
２１１  フリップ・フロップデジタル回路
２１２  コントロールノブ
２１４  システムバス
２１５  パラレル・ポート
３０１  エフェクト／バイパス切替部
３０２  ＣＰＵインタフェース部
３０３  音声処理部
３０４  クリッパ入力レベル検知部
３０５  エフェクト／バイパス信号
３０６  クリッパ入力レベル信号
３０７  クリッパゲイン信号
３０８  クリーンゲイン信号
３０９  ドライブ信号
３１０  トーン信号
３１１  レベル信号
３１３  バイパスライン
３１５  ハイパスフィルタ（ＨＰＦ）
３１６  ドライブ用乗算器
３１７  クリッパゲイン用乗算器
３１８  クリッパ
３１９  クリーンゲイン用乗算器
３２０  加算器
３２１  トーン調整用ローパスフィルタ（ＬＰＦ）
３２２  レベル乗算器
３２３  クリッパゲイン平滑用ＬＰＦ
３２４  クリーンゲイン平滑用ＬＰＦ
３２５  整流器
３２６  ＬＰＦ
３２７  乗算器
ＥＦＦＥＣＴ  エフェクトバイパスレジスタ
ＣＩＮＰＵＴ  クリッパ入力レベルレジスタ
ＣＧＡＩＮ  クリッパゲインレジスタ
ＬＧＡＩＮ  クリーンゲインレジスタ
ＤＲＩＶＥ  ドライブレジスタ
ＴＯＮＥ  トーンレジスタ
ＬＥＶＥＬ  レベルレジスタ
【手続補正７】
【補正対象書類名】特許請求の範囲
【補正対象項目名】全文
【補正方法】変更
【補正の内容】
【特許請求の範囲】
【請求項１】
入力信号のレベルが予め定められたクリップレベル以上になったときに、当該入力信号をクリッピングして出力するクリッパ部と、
前記クリッパ部からの出力信号と前記入力信号とを混合して出力する混合部と、
前記入力信号のエンベロープレベル値を検知するエンベロープレベル検知部と、
前記エンベロープレベル検知部により検知された前記エンベロープレベルが前記クリップレベルを含む予め定められた領域内にある場合は、前記クリッパ部からの出力信号のレベルを減少させるとともに、前記混合部に供給される前記入力信号のレベルを増加させるように制御する制御部と
を備えたディストーション装置。
【請求項２】
前記制御部は、前記クリッパ部からの出力信号のレベルを漸次減少させるとともに、前記混合部に供給される前記入力信号のレベルを漸次増加させるように制御する、請求項１に記載のディストーション装置。
【請求項３】
前記制御部は、前記クリッパ部に供給される前記入力信号のレベルを漸次減少させることにより、前記クリッパ部からの出力信号のレベルを漸次減少させる、請求項１または２に記載のディストーション装置。
【請求項４】
入力信号のレベルが予め定められたクリップレベル以上になったときに、当該入力信号をクリッピングして出力するクリッパ部と、前記クリッパ部からの出力信号と前記入力信号とを混合して出力する混合部と、前記入力信号のエンベロープレベル値を検知するエンベロープレベル検知部と、前記クリッパ部と前記混合部に供給される入力信号のレベルを調整するレベル調整部と、を有するディストーション装置に用いられるディストーション制御方法であって、前記ディストーション装置が、
前記エンベロープレベル検知部により検知された前記エンベロープレベルが前記クリップレベルを含む予め定められた領域内にある場合は、前記クリッパ部に供給される前記入力信号のレベルを減少させるとともに、前記混合部に供給される前記入力信号のレベルを増加させるように前記レベル調整部を制御する、ディストーション制御方法。
【請求項５】
入力信号のレベルが予め定められたクリップレベル以上になったときに、当該入力信号をクリッピングして出力するクリッパ部と、前記クリッパ部からの出力信号と前記入力信号とを混合して出力する混合部と、前記入力信号のエンベロープレベル値を検知するエンベロープレベル検知部と、前記クリッパ部と前記混合部に供給される入力信号のレベルを調整するレベル調整部と、を備えたディストーション装置として用いられるコンピュータに、
前記エンベロープレベル検知部により検知された前記エンベロープレベルが前記クリップレベルを含む予め定められた領域内にある場合は、前記クリッパ部に供給される前記入力信号のレベルを減少させるとともに、前記混合部に供給される前記入力信号のレベルを増加させるように前記レベル調整部を制御するステップを実行させるプログラム。
【手続補正８】
【補正対象書類名】図面
【補正対象項目名】図２
【補正方法】変更
【補正の内容】
【図２】
2016061909.tif 000001
【手続補正９】
【補正対象書類名】図面
【補正対象項目名】図６
【補正方法】変更
【補正の内容】
【図６】
2016061909.tif 000002
【手続補正１０】
【補正対象書類名】図面
【補正対象項目名】図８
【補正方法】変更
【補正の内容】
【図８】
2016061909.tif 000003